(57)【特許請求の範囲】
【請求項１】
被処理流体を浄化処理するカートリッジと、前記カートリッジが挿入されるケーシングとを備える浄水器であって、
前記ケーシングは、一方端が開口し他方端が閉塞壁により閉塞され、前記一方端側から前記他方端側に向かう方向が長手方向となる筒状に形成されており、
前記閉塞壁には、外部から供給される被処理流体を前記カートリッジに導く供給配管接続部と、前記カートリッジによって浄化処理された被処理流体を外部に導く排出配管接続部が設けられており、
前記カートリッジには、前記供給配管接続部に嵌合し被処理流体を前記カートリッジ内部に導入可能な導入部と、前記排出配管接続部に嵌合し前記カートリッジ内部で処理された被処理流体を導出可能な導出部とが設けられており、
前記ケーシングの側壁には、該側壁の内外を連通する連通部が形成されている浄水器。
【請求項２】
前記連通部は、前記閉塞壁の近傍に形成されている請求項１に記載の浄水器。
【請求項３】
前記連通部は、前記ケーシングの前記一方端側から前記他方端側に向けて延びるスリットである請求項１又は２に記載の浄水器。
【発明の詳細な説明】
【技術分野】
【０００１】
本発明は、浄水器に関する。
【背景技術】
【０００２】
従来から水道水には殺菌用の塩素添加が義務づけられており、これにより水道水が雑菌により汚染される懸念は少ないが、カルキ臭により水の味は損なわれていた。また、この塩素と水道水中に含まれるフミン質などの有機物質とが反応することにより、発ガン性を有するトリハロメタンが水道水中に生成することも確認されている。更に、近年の河川、湖沼の汚染等により、これらを原水とする水道水中には、カビ臭原因物質が微量成分として含まれていることも確認されている。そこで、これらの水の味を損ねる物質や有害物質を除去するために、浄水器が広く使用されている。
【０００３】
浄水器の一般的な構造は、活性炭のような粒状濾材充填した粒状濾材層を有するカートリッジと、当該カートリッジが収納されるケーシングとを備えている。このような浄水器は、浄水処理されていない水道水等の被処理流体が導かれる給水配管や、カートリッジ内を通過し有害物質等が除去された被処理液を外部に導く吐水管（排水配管）等に接続されて使用される。
【発明の概要】
【発明が解決しようとする課題】
【０００４】
しかしながら、従来の浄水器においては、浄水処理されていない水道水等の被処理流体が導かれる給水配管や、カートリッジ内を通過し有害物質等が除去された被処理流体を外部に導く吐水管（排水配管）との接続構造が複雑であり、また、接続場所が奥まった処など作業が困難な位置に在り、浄化能力を失ったカートリッジを交換する場合に、その交換作業に時間を要し、簡便にカートリッジを交換することが難しいという問題があった。
【０００５】
本発明は、このような問題を解決するためになされたものであって、被処理流体を浄化処理するカートリッジの交換作業を簡便に行うことができる浄水器を提供することを目的とする。
【課題を解決するための手段】
【０００６】
本発明の上記目的は、被処理流体を浄化処理するカートリッジと、前記カートリッジが挿入されるケーシングとを備える浄水器であって、前記ケーシングは、一方端が開口し他方端が閉塞壁により閉塞され、一方端側から他方端側に向かう方向が長手方向となる筒状に形成されており、前記閉塞壁には、外部から供給される被処理流体を前記カートリッジに導く供給配管接続部と、前記カートリッジによって浄化処理された被処理流体を外部に導く排出配管接続部が設けられており、前記カートリッジには、前記供給配管接続部に嵌合し被処理流体を前記カートリッジ内部に導入可能な導入部と、前記排出配管接続部に嵌合し前記カートリッジ内部で処理された被処理流体を導出可能な導出部とが設けられており、前記ケーシングの側壁には、該側壁の内外を連通する連通部が形成されている浄水器により達成される。
【０００７】
このような構成によれば、ケーシングがカートリッジを保護し、カートリッジが損傷することを防止することができる。また、カートリッジをケーシング内に挿入して押し込むという動作のみで、カートリッジをケーシングにセットすることが可能となり、また、ケーシングにセットされているカートリッジを引き抜くという動作のみでケーシングからカートリッジを容易に取り外すことが可能となる。つまり、ケーシングに対するカートリッジの脱着が極めて簡便となり、カートリッジの交換作業を容易に行うことが可能となる。また、ケーシングの側壁にケーシング内外を連通する連通部を形成されているため、カートリッジをケーシング内に挿入する際において、カートリッジにより押し出されるケーシング内の空気が連通部を介してケーシング外に導かれることになり、ケーシング内にカートリッジをスムーズに挿入することが可能となる。また、当該連通部は、ケーシング内にセットされたカートリッジを取り出す際には、ケーシング外の空気をケーシング内へと導く通り道（導入路）としての機能を発揮するため、カートリッジ引き出し時に、ケーシング内周面とカートリッジ外周面との間が真空状態（低圧状態）となることを効果的に抑制することができ、ケーシングからカートリッジをスムーズに取り出すことが可能となる。
【０００８】
また、前記連通部は、前記閉塞壁の近傍に形成されていることが好ましい。このように連通部を閉塞壁の近傍に形成することにより、カートリッジをケーシング内に挿入し、カートリッジにおける導入部及び導出部が、閉塞壁に設けられる供給配管接続部及び排出配管接続部に嵌合する直前まで、ケーシング内の空気を連通部を介して外部に導くことが可能となり、ケーシング内にカートリッジをスムーズに挿入することがより一層可能となる。また、カートリッジをケーシングから取り出す際においても、取り出し作業開始直後から連通部を介してケーシング外の空気をケーシング内へと導くことができるため、ケーシング内周面とカートリッジ外周面との間が真空状態（低圧状態）となることを最大限に抑制して、スムーズにケーシングからカートリッジを取り出すことが可能となる。
【０００９】
また、前記連通部は、前記ケーシングの一方端側から他方端側に向けて延びるスリットであることが好ましい。このような構成によれば、上述のように、カートリッジをケーシング内に挿入する際には、カートリッジにより押し出されるケーシング内の空気をスリット状の連通部を介してケーシング外に導き、また、ケーシング内にセットされたカートリッジを取り出す際には、ケーシング外の空気をケーシング内へと導くという効果を発揮すると共に、次のような効果を発揮する。つまり、連通部をスリット状に構成することにより、ケーシングの周壁が撓みやすくなる。これによって、ケーシングの内周部の形状をカートリッジの外周部の形状と略同一の形状とし、カートリッジの外周面が、ケーシングの内周面と摺接するように構成した場合であっても、ケーシングの一方端における開口を拡径させてカートリッジを挿入することができ、ケーシングへのカートリッジのセッティング作業を容易にすることができる。
【００１０】
また、前記導入部及び供給配管接続部、並びに、前記導出部及び排出配管接続部が、それぞれ嵌合された状態において、前記ケーシングに対する前記カートリッジの移動を規制するストッパー手段を備えており、前記ストッパー手段は、前記ケーシングの側壁に形成される貫通部と、前記貫通部に対応する前記カートリッジの側壁側の所定位置に形成される凹部と、前記貫通部を介して前記凹部に差し込まれた状態で、前記凹部と前記貫通部とにより形成される空間部に少なくとも一部領域が介在する移動規制部とを備えていることが好ましい。また、前記貫通部は、前記ケーシングの互いに対向する側壁にそれぞれ形成され、前記凹部は、前記各貫通部にそれぞれ対応する前記カートリッジの側壁側の所定位置にそれぞれ形成されると共に、前記各貫通部及び前記各凹部は、前記カートリッジの挿入方向に対して垂直な方向に延びるように形成されており、前記移動規制部は、互いに対応する貫通部及び凹部にそれぞれ差し込まれる一対の挿入片を備えていることが好ましい。
【００１１】
このようなストッパー手段を備えることにより、ケーシング内にセットされたカートリッジが、当該カートリッジ内に導かれる被処理流体の流体圧力（水圧等）の反動によってケーシングから離脱するような力を受けたとしても、カートリッジの移動を規制するストッパー手段が、カートリッジの移動を拘束することとなり、閉塞壁に設けられる供給配管接続部とカートリッジの導入部との嵌合状態、及び、閉塞壁に設けられる排出配管接続部とカートリッジの導出部との嵌合状態を維持することが可能となり、供給配管接続部と導入部との連結個所や、排出配管接続部と導出部との連結個所からの液漏れを効果的に抑制することが可能となる。
【００１２】
また、前記ストッパー手段は、前記移動規制部に接続する第１接続端部と前記ケーシングに接続する第２接続端部とを有する支持体を更に備えており、前記支持体は、前記第１接続端部と前記第２接続端部との間で弾性変形可能に構成されていることが好ましい。
【００１３】
ストッパー手段をこのように構成することにより、ストッパー手段とケーシングとを一体化することができる。更に、支持体が第１接続端部と第２接続端部との間で弾性変形可能に構成されているため、ストッパー手段とケーシングとを一体化した状態であっても、ケーシングに形成される貫通部を介して、カートリッジの側壁側に形成される凹部に移動規制部を簡単に挿入することが可能となる。
【発明の効果】
【００１４】
本発明によれば、被処理流体を処理するカートリッジの交換作業を簡便に行うことができる浄水器を提供することができる。
【図面の簡単な説明】
【００１５】
【図１】本発明に係る第１の浄水器の概略構成断面図である。
【図２】図に示す第１の浄水器が有するカートリッジの変形例を示す概略構成断面図である。
【図３】本発明に係る第２の浄水器の概略構成断面図である。
【図４】図３に示す第２の浄水器に関して、ケーシング内にカートリッジを挿入する途中の状態を示す概略構成断面図である。
【図５】図３に示す第２の浄水器が有するケーシングの要部拡大断面図である。
【図６】図３に示す第２の浄水器が有するカートリッジの変形例を示す説明図である。
【図７】図３に示す第２の浄水器が有するカートリッジの変形例を示す説明図である。
【図８】図３に示す第２の浄水器が有するカートリッジの変形例を示す説明図である。
【図９】図３に示す第２の浄水器の要部拡大断面図である。
【図１０】図３に示す第２の浄水器の要部拡大断面図である。
【図１１】図３に示す第２の浄水器が有するケーシングの変形例を示す説明図である。
【図１２】図１１の要部拡大図である。
【図１３】（ａ）は、図１１に示す第２の浄水器が有するケーシングの変形例を示す正面図であり、（ｂ）は（ａ）における矢視Ａ方向から見た平面図である。
【図１４】図３に示す第２の浄水器の変形例を示す断面図である。
【図１５】図１４に示す第２の浄水器が備えるストッパー手段の変形例を示す断面図である。
【図１６】図１４に示す第２の浄水器が備えるストッパー手段の他の変形例を説明するための説明図である。
【図１７】（ａ）は、図１６に示すストッパー手段における挿入片が設置された状態を示す浄水器の正面図であり、（ｂ）は、図１７（ａ）のＣ−Ｃ断面を示す断面図である。
【図１８】本発明に係る第３の浄水器の概略構成断面図である。
【図１９】（ａ）は、図１８に示す第３の浄水器が有する給排水ソケットの断面図であり、（ｂ）は、その平面図である。
【図２０】（ａ）は、図１８に示す第３の浄水器が有する給排水ソケットの変形例を示す断面図であり、（ｂ）は、図２０（ａ）に示す矢視Ｄ方向から見た平面図である。
【図２１】（ａ）は、カートリッジの変形例を示す概略構成断面図であり、（ｂ）は、（ａ）に示す矢視Ｅ方向から見た底面図である。
【図２２】図２０及び図２１に示す挿入ガイド及び係合部材の変形例を説明するための説明図である。
【発明を実施するための形態】
【００１６】
以下、本発明に係る第１の浄水器について、添付図面を参照して説明する。図１は、第１の浄水器１ａの概略構成断面図である。なお、各図面は、構成の理解を容易にするため、実寸比ではなく部分的に拡大又は縮小されている。
【００１７】
第１の浄水器１ａは、水道水等の被処理流体を浄化する装置であって、図１に示すように、カートリッジ２と、外部から供給される被処理流体をカートリッジ２に導く供給配管接続部３と、カートリッジ２によって処理された被処理流体を外部に導く排出配管接続部４とを備えている。
【００１８】
カートリッジ２は、内部に濾過体２１を備える部材であり、ステンレス鋼やアルミニウム等の金属材料、合成樹脂素材（例えば、ＡＢＳ樹脂やＰＢＴ樹脂等）等の材料により形成されている。特に磁気に反応しない金属やＡＢＳ樹脂等により形成することが好ましい。カートリッジ２内部の濾過体２１によって被処理流体に含まれる有害物質や臭気成分は除去される。このカートリッジ２は、供給配管接続部３に嵌合し被処理流体をカートリッジ２内部に導入可能な導入部２２と、排出配管接続部４に嵌合しカートリッジ２内部で処理された被処理流体を導出可能な導出部２３とを備えている。導入部２２は、カートリッジ２の一方の端部に設けられており、カートリッジ２の内外を連通しするように形成されている。また、導出部２３は、カートリッジ２の他方の端部に設けられ、導入部２２と同様に、カートリッジ２の内外を連通しするように形成されている。導入部２２及び導出部２３は、カートリッジ２の各端部から外方に突出する管状体により構成されている。これら導入部２２及び導出部２３は、供給配管接続部３及び排出配管接続部４にそれぞれ嵌合可能となるように構成されている。なお、導入部２２と供給配管接続部３との連結個所や、導出部２３と排出配管接続部４との連結個所での液漏れを防止する観点から、管状体として形成される導入部２２及び導出部２３の外周面上にＯリング等のパッキンを設置して、導入部２２と供給配管接続部３、導出部２３と排出配管接続部４をそれぞれ嵌合するように構成してもよい。
【００１９】
カートリッジ２の内部に収納される濾過体２１としては、カートリッジ２に形成される導入部２２から導かれた被処理流体から有害物質や細菌、臭気成分等を除去すると共に、浄化後の被処理流体を導出部２３を介して外部に導くことができる構成であれば、特にその構成は限定されない。この濾過体２１は、粒状の活性炭等の濾過材が内部に充填される流路２４を複数備えるように構成されており、カートリッジ２の導入部２２に導かれた被処理流体を各流路２４に分散して通過させながら活性炭の作用により有害物質や臭気成分等を除去し、これら有害物質等が除去された浄化後の被処理流体をカートリッジ２の導出部２３に導くことができるように構成されている。なお、粒状の活性炭の代わりに、繊維状の活性炭や、イオン交換樹脂等を使用してもよく、或いは、これらを混合した物を使用してもよい。また、複数の流路２４を設けず、図２に示すように、単一の空間２６内に前記活性炭やブロック状成型活性炭、イオン交換樹脂等の濾過材を充填するように構成し、この濾過材が充填された領域を、カートリッジ２の導入部２２に導かれた被処理流体が通過すると共に、浄化後の被処理流体をカートリッジ２の導出部２３に導くように、濾過体２１を構成してもよい。
【００２０】
また、例えば、中空糸膜体により形成される中空糸膜層を濾過材として採用し、カートリッジ２の内部に配置してもよい。ここで、中空糸膜層は、ポリオレフィン、ポリエステル、ポリアミド、ポリスルホン等の素材からなる多数の中空糸束をその各端部においてボッティング樹脂により一体的に固定して形成された中空糸膜体により構成されている。このような中空糸膜体を被処理水が通過することにより、被処理水中の鉄錆及び雑菌等の細かい汚れが濾過され除去される。なお、中空糸膜体と、活性炭やイオン交換樹脂等の濾過材とを組み合わせて濾過体２１を構成してもよい。
【００２１】
供給配管接続部３及び排出配管接続部４は、内部空間を有する筒状に形成されており、導入部２２が供給配管接続部３の一方の端部３ａを介して内部空間内に挿入嵌合されるように、導出部２３が排出配管接続部４の一方の端部４ａを介して内部空間内に挿入嵌合されるように構成されている。また、供給配管接続部３の他方の端部３ｂには、浄化処理されていない水道水等の被処理流体が導かれる給水配管Ｚ１が接続できるように構成されている。また、排出配管接続部４の他方の端部４ｂには、カートリッジ２によって有害物質等が除去された被処理流体が流通する排水配管Ｚ２が接続できるように構成されている。
【００２２】
このような構成により、給水配管Ｚ１により導かれた水道水等の被処理流体は、供給配管接続部３及びカートリッジ２における導入部２２を介してカートリッジ２内に導かれ、カートリッジ２内の濾過体２１の作用により有害物質や臭気成分等が除去された後、カートリッジ２の導出部２３及び排出配管接続部４を介して排水配管Ｚ２に導かれて外部に供給される。
【００２３】
また、本発明に係る第１の浄水器１ａは、供給配管接続部３及びカートリッジ２における導入部２２の嵌合状態を良好な状態に維持する第１保持手段７を有している。また、排出配管接続部４及びカートリッジ２における導出部２３の嵌合状態を良好な状態に維持する第２保持手段８を有している。第１保持手段７は、供給配管接続部３側及びカートリッジ２の導入部２２側のいずれか一方に配置される電磁石７１と、他方に配置され電磁石との間でくっつく力を及ぼす磁性部材７２とを備えるように構成している。また、第２保持手段８は、排出配管接続部４側及びカートリッジ２の導出部２３側のいずれか一方に配置される電磁石８１と、他方に配置され電磁石との間でくっつく力を及ぼす磁性部材８２とを備えるように構成している。ここで、磁性部材７２，８２とは、磁石にくっつく部材のことをいい、鉄やニッケル等の金属から形成される部材や、永久磁石や電磁石等の磁石体をも含む概念である。また、電磁石７１，８１のＯＮ／ＯＦＦといった作動を制御する制御部（図示せず）や電磁石７１，８１を駆動させるための操作部（図示せず）を備えている。
【００２４】
本実施形態においては、カートリッジ２における導入部２２の周囲にリング状の永久磁石（磁性部材）７２を配設すると共に、導入部２２と嵌合する側の供給配管接続部３における一方の端部にリング状の電磁石７１を配設することにより第１保持手段７を構成している。また、カートリッジ２における導出部２３の周囲にリング状の永久磁石（磁性部材）８２を配設すると共に、導出部２３と嵌合する側の排出配管接続部４における一方の端部にリング状の電磁石８１を配設することにより第２保持手段８を構成している。なお、カートリッジ２における導入部２２の周囲や導出部２３の周囲に配置されるリング状の永久磁石７２，８２の代わりに、別の電磁石や、鉄やニッケル等の金属材料から構成されるリング状金属体を配置してもよい。また、カートリッジ２における導入部２２の周囲にリング状の電磁石７１を配設すると共に、導入部２２と嵌合する供給配管接続部３における一方の端部にリング状の永久磁石（磁性部材）７２を配設することにより第１保持手段７を構成してもよい。同様に、カートリッジ２における導出部２３の周囲にリング状の電磁石８１を配設すると共に、導出部２３と嵌合する排出配管接続部４における一方の端部にリング状の永久磁石（磁性部材）８２を配設することにより第２保持手段８を構成してもよい。また、第１保持手段７または第２保持手段８のいずれか一方を省略して浄水器１ａを構成してもよい。
【００２５】
本実施形態においては、供給配管接続部３側に配置される電磁石７１に通電することにより発生する磁極が、カートリッジ２における導入部２２側に配置される永久磁石７２の磁極と反対（例えば、Ｎ極とＳ極、或いは、Ｓ極とＮ極）となるように、或いは、永久磁石７２の磁極と同一（例えば、Ｎ極とＮ極、或いは、Ｓ極とＳ極）となるように構成されている。同様に、排出配管接続部４側に配置される電磁石８１に通電することにより発生する磁極が、カートリッジ２における導出部２３側に配置される永久磁石８２の磁極と反対（例えば、Ｎ極とＳ極、或いは、Ｓ極とＮ極）となるように、或いは、永久磁石８２の磁極と同一（例えば、Ｎ極とＮ極、或いは、Ｓ極とＳ極）となるように構成されている。つまり、各電磁石７１，８１は、発生する磁極を反転可能となるように構成される。また、制御部は、操作部から入力された信号に基づいて、例えば、電磁石７１，８１が発生する磁力の大きさを制御する機能を有している。また、操作部は、例えばタッチパネル式の入力装置により構成されており、所定の部位をタッチすることにより、電磁石７１，８１に通電させる信号やその通電を停止させる信号等を制御部に送信可能となるように構成されている。また、操作部を操作することにより、電磁石７１，８１が発生する磁力の大きさを変更できるように構成されている。
【００２６】
本発明に係る第１の浄水器１ａは、上記の如く構成されているため、供給配管接続部３及び排出配管接続部４を、カートリッジ２に設けられる導入部２２及び導出部２３にそれぞれ押し込むという動作のみで、供給配管接続部３及び排出配管接続部４をカートリッジ２にセットすることが可能となり、また、供給配管接続部３及び排出配管接続部４を導入部２２及び導出部２３からそれぞれ引き抜くという動作のみでカートリッジ２から供給配管接続部３及び排出配管接続部４を取り外すことが可能となる。つまり、カートリッジ２に対する供給配管接続部３及び排出配管接続部４の脱着が極めて簡便となり、カートリッジ２の交換作業を容易に行うことが可能となる。
【００２７】
また、上記第１の浄水器１ａは、供給配管接続部３と導入部２２との接続部分や、排出配管接続部４と導出部２３との接続部分において、一方側に配置される電磁石７１，８１と、他方側に配置される磁性部材７２，８２とを備えているため、電磁石７１，８１と磁性部材７２，８２とがくっついてホールドし、供給配管接続部３及び導入部２２の嵌合状態や、排出配管接続部４及び導出部２３の嵌合状態を確実に維持して両者の一体性を確保することができる。つまり、カートリッジ２に対する供給配管接続部３や排出配管接続部４の保持力（ホールド力）を強固なものとすることが可能となり、この結果、カートリッジ２内に導かれる被処理流体の流体圧力（水圧等）の反動によるカートリッジ２からの供給配管接続部３や排出配管接続部４の離脱（移動）に起因する被処理流体の液漏れを防止することが可能となる。
【００２８】
また、上記第１の浄水器１ａにおいては、電磁石７１，８１は、発生する磁力の大きさが変更可能となるように構成される。このような構成によれば、カートリッジ２に対する供給配管接続部３や排出配管接続部４の保持力（ホールド力）を強めたり弱めたりすることが可能となる。例えば、カートリッジ２から供給配管接続部３や排出配管接続部４を取り外す際には、電磁石７１，８１のコイルに流れる電流を遮断することにより磁力を消失させれば、簡便にカートリッジ２から供給配管接続部３や排出配管接続部４を取り外すことが可能となる。また、浄水器１ａの使用時に、被処理流体の流体圧力（水圧等）の反動によるカートリッジ２からの供給配管接続部３や排出配管接続部４の離脱（移動）が生じてしまい被処理流体の液漏れが発生した場合であっても、電磁石７１，８１が発生する磁力を強めることにより、カートリッジ２に対する供給配管接続部３や排出配管接続部４の保持力（ホールド力）より一層強化し、被処理流体の液漏れを防止することができる。
【００２９】
また、上記第１の浄水器１ａにおいては、電磁石７１，８１は、発生する磁極を反転可能に構成されている。このような構成によれば、磁性部材７２，８２を磁石体（例えば、永久磁石）により構成した場合に、電磁石７１，８１と磁石体７２，８２とが互いに引き合う或いは反発するように構成することが可能となる。この結果、供給配管接続部３及び／又は排出配管接続部４をカートリッジ２にセットする際及びセットしている状態の時には、電磁石７１，８１と磁石体７２，８２とが互いにくっつくように、或いは、カートリッジ２から供給配管接続部３及び／又は排出配管接続部４を取り外す際に電磁石７１，８１と磁石体７２，８２とが互いに反発するように構成することができる。つまり、供給配管接続部３及び／又は排出配管接続部４をカートリッジ２にセットする際及びセットしている状態の時には、電磁石７１，８１と磁石体７２，８２とのくっつく力の作用によりカートリッジ２と供給配管接続部３及び／又は排出配管接続部４との連結を強固な状態に維持することができ、カートリッジ２から供給配管接続部３及び／又は排出配管接続部４を取り外す時には、電磁石７１，８１と磁石体７２，８２との反発作用により、供給配管接続部３や排出配管接続部４に嵌合されるカートリッジ２の導入部２２や導出部２３を、供給配管接続部３や排出配管接続部４から抜き出すことが容易となり、カートリッジ２と供給配管接続部３及び／又は排出配管接続部４との脱着作業をより簡便に行うことが可能となる。
【００３０】
なお、上記第１の浄水器１ａにおいては、カートリッジ２を挟んで、供給配管接続部３と排出配管接続部４とは互いに反対方向に配置しているが、供給配管接続部３と排出配管接続部４とが隣接（近傍位置に配置）するように構成してもよい。このような構成の場合、供給配管接続部３や排出配管接続部４と嵌合するカートリッジの導入部２２や導出部２３は、隣接配置されることとなる。
【００３１】
また、上記第１の浄水器１ａにおいては、カートリッジ２の導入部２２や導出部２３を管状体として構成し、供給配管接続部３や排出配管接続部４を内部空間を有する筒状に形成し、導入部２２が供給配管接続部３の一方の端部３ａを介して内部空間内に挿入嵌合されるように、導出部２３が排出配管接続部４の一方の端部４ａを介して内部空間内に挿入嵌合されるように構成されているが、例えば、カートリッジ２の導入部２２をカートリッジ２の一方の端部に形成される貫通孔として構成し、この貫通孔として構成された導入部２２の内部に供給配管接続部３の一方の端部３ａを挿入嵌合するように構成してもよい。また、カートリッジ２の導出部２３をカートリッジ２の他方の端部に形成される貫通孔として構成し、貫通孔として構成された導出部２３の内部に排出配管接続部４の一方の端部４ａを挿入嵌合するように構成してもよい。
【００３２】
次に、本発明に係る第２の浄水器について、添付図面を参照して説明する。図３は、第２の浄水器１ｂの概略構成断面図である。図４は、第２の浄水器１ｂに関して、ケーシング５内にカートリッジ２を挿入する途中の状態を示す概略構成断面図である。各図面は、構成の理解を容易にするため、実寸比ではなく部分的に拡大又は縮小されている。
【００３３】
第２の浄水器１ｂは、水道水等の被処理流体を浄化処理する装置であって、図３及び図４に示すように、ケーシング５と、当該ケーシング５に収容されるカートリッジ２と、蓋部材８５とを備えている。
【００３４】
ケーシング５は、一方端が開口し他方端が閉塞壁５１により閉塞される筒状の部材であり、ステンレス鋼やアルミニウム等の金属若しくはＡＢＳ樹脂やＰＢＴ樹脂等の合成樹脂等により形成されている。特に磁気に反応しない金属やＡＢＳ樹脂等により形成することが好ましい。このケーシング５は、一方端の開口からカートリッジ２を挿入して収納できるように構成されている。このケーシング５の底部を構成する閉塞壁５１には、ケーシング５内外を連通し、外部から供給される被処理流体をカートリッジ２に導く供給配管接続部３が設けられている。また、この供給配管接続部３に隣接して、閉塞壁５１には、カートリッジ２によって処理された被処理流体を外部に導く排出配管接続部４が設けられている。これら供給配管接続部３及び排出配管接続部４は、それぞれ閉塞壁５１に形成される貫通孔により構成されている。貫通孔により構成される供給配管接続部３及び排出配管接続部４の一方の端部（ケーシング５内側に配置される端部）の内面形状は、図５の要部拡大断面図に示すように、ラッパ状となるように形成することが好ましい。このようにラッパ状とすることにより、後述のカートリッジ２が備える導入部２２及び導出部２３をスムーズに受け入れることが可能となる。また、供給配管接続部３の他方の端部（ケーシング５外側に配置される端部）には、浄化処理されていない水道水等の被処理流体が導かれる給水配管Ｚ１が接続できるように構成されている。また、排出配管接続部４の他方の端部（ケーシング５外側に配置される端部）には、後述のカートリッジ２によって有害物質等が除去された被処理流体が流通する排水配管Ｚ２が接続できるように構成されている。ここで、ケーシング５の外形形状は、円柱状や楕円柱状であってもよく、直方体状であってもよい。
【００３５】
カートリッジ２は、内部に濾過体２１を備え、ケーシング５の開口から該ケーシング５内に挿入される部材であり、ステンレス鋼やアルミニウム等の金属材料、合成樹脂素材（例えば、ＡＢＳ樹脂やＰＢＴ樹脂等）等の材料により形成されている。特に磁気に反応しない金属やＡＢＳ樹脂等により形成することが好ましい。カートリッジ２内部の濾過体２１によって被処理流体に含まれる有害物質や臭気成分は除去される。ケーシング５に対するカートリッジ２の挿入方向端部２ａには、カートリッジ２の内外を連通し被処理流体をカートリッジ２内部に導入可能な導入部２２と、カートリッジ２の内外を連通し、カートリッジ内部の濾過体２１により濾過された被処理流体を排出可能な導出部２３とが設けられている。導入部２２及び導出部２３は、カートリッジ２の挿入方向端部２ａから外方に突出する管状体により構成されている。これら導入部２２及び導出部２３は、ケーシング５の閉塞壁５１に貫通孔として形成される供給配管接続部３及び排出配管接続部４にそれぞれ嵌合可能となるように構成されている。なお、導入部２２と供給配管接続部３との連結個所や、導出部２３と排出配管接続部４との連結個所での液漏れを防止する観点から、管状体として形成される導入部２２及び導出部２３の外周面上にＯリング等のパッキンを設置して、導入部２２と供給配管接続部３、導出部２３と排出配管接続部４をそれぞれ嵌合するように構成してもよい。また、カートリッジ２の挿入方向端部２ａとは反対側の端部２ｂには、把手２５が設けられている。なお、この把手２５を省略してカートリッジ２を構成してもよい。
【００３６】
カートリッジ２の内部に収納される濾過体２１としては、カートリッジ２に形成される導入部２２から導かれた被処理流体から有害物質や細菌、臭気成分等を除去すると共に、浄化後の被処理流体を導出部２３を介して外部に導くことができる構成であれば、特にその構成は限定されず、例えば、図６や図７に示すような構成を採用することができる。この濾過体２１は、粒状の活性炭等の濾過材が内部に充填される流路２４を複数備えるように構成されており、カートリッジ２の導入部２２に導かれた被処理流体を各流路２４に分散して通過させながら活性炭の作用により有害物質や臭気成分等を除去し、これら有害物質等が除去された浄化後の被処理流体をカートリッジ２の導出部２３に導くことができるように構成されている。なお、粒状の活性炭の代わりに、繊維状の活性炭や、イオン交換樹脂等を使用してもよく、或いは、これらを混合した物を使用してもよい。また、複数の流路２４を設けず、図８に示すように、単一の空間２６内に前記活性炭やブロック状成型活性炭、イオン交換樹脂等の濾過材を充填するように構成し、この濾過材が充填された領域を、カートリッジ２の導入部２２に導かれた被処理流体が通過すると共に、浄化後の被処理流体をカートリッジ２の導出部２３に導くように、濾過体２１を構成してもよい。
【００３７】
また、例えば、中空糸膜体により形成される中空糸膜層を濾過材として採用し、カートリッジ２の内部に配置してもよい。ここで、中空糸膜層は、ポリオレフィン、ポリエステル、ポリアミド、ポリスルホン等の素材からなる多数の中空糸束をその各端部においてボッティング樹脂により一体的に固定して形成された中空糸膜体により構成されている。このような中空糸膜体を被処理水が通過することにより、被処理水中の鉄錆及び雑菌等の細かい汚れが濾過され除去される。なお、中空糸膜体と、活性炭やイオン交換樹脂等の濾過材とを組み合わせて濾過体２１を構成してもよい。
【００３８】
このようなケーシング５とカートリッジ２との構成により、給水配管Ｚ１により導かれた水道水等の被処理流体は、ケーシング５における供給配管接続部３及びカートリッジ２における導入部２２を介してカートリッジ２内に導かれ、カートリッジ２内の濾過体２１の作用により有害物質や臭気成分等が除去された後、カートリッジ２の導出部２３及びケーシング５の排出配管接続部４を介して排水配管Ｚ２に導かれて外部に供給される。
【００３９】
また、本発明に係る第２の浄水器１ｂは、ケーシング５における供給配管接続部３及びカートリッジ２における導入部２２の嵌合状態、並びに、ケーシング５における排出配管接続部４及びカートリッジ２における導出部２３の嵌合状態を良好な状態に維持する保持手段９を更に備えている。この保持手段９は、供給配管接続部３側（排出配管接続部４側）及び導入部２２側（導出部２３側）のいずれか一方に配置される電磁石９１，９２と、他方に配置される磁性部材９３，９４とを備えている。具体的には、ケーシング５の閉塞壁５１におけるカートリッジ２との対向面上に電磁石９１，９２を配置し、この電磁石９１，９２に対応する磁性部材９３，９４をカートリッジ２の挿入方向端部２ａにおける閉塞壁５１との対向面上に配置している。なお、電磁石９１，９２と磁性部材９３，９４との組み合わせが２箇所となるように構成している。一方の電磁石９１と磁性部材９３との組み合わせに関しては、電磁石９１を供給配管接続部３近傍となるように、磁性部材９３を導入部２２近傍となるように配置している。また、他方の電磁石９２と磁性部材９４との組み合わせに関しては、電磁石９２を排出配管接続部４近傍となるように、磁性部材９４を導出部２３近傍となるように配置している。なお、電磁石と磁性部材との組み合わせが１箇所となるように構成してもよい。ここで、磁性部材９３，９４とは、磁石にくっつく部材のことをいい、鉄やニッケル等の金属から形成される部材や、永久磁石や電磁石等の磁石体をも含む概念である。本実施形態においては、磁性部材９３，９４として、永久磁石を採用している。なお、この永久磁石の代わりに別の電磁石や、鉄やニッケル等の金属材料から構成されるプレート部材をカートリッジ２の挿入方向端部２ａに配置してもよい。また、本実施形態においては、電磁石９１，９２のＯＮ／ＯＦＦといった作動を制御する制御部（図示せず）や電磁石９１，９２を駆動させるための操作部（図示せず）を備えている。制御部は、ケーシング５の閉塞壁５１に配置される電磁石９１，９２に通電することにより発生する磁極が、カートリッジ２の挿入方向端部２ａに配置される永久磁石９３，９４の磁極と反対（例えば、Ｎ極とＳ極、或いは、Ｓ極とＮ極）となるように、或いは、永久磁石９３，９４の磁極と同一（例えば、Ｎ極とＮ極、或いは、Ｓ極とＳ極）となるように構成されている。つまり、電磁石９１，９２は、発生する磁極を反転可能となるように構成される。また、制御部は、操作部から入力された信号に基づいて、例えば、電磁石９１，９２が発生する磁力の大きさを制御する機能を有している。また、操作部は、例えばタッチパネル式の入力装置により構成されており、所定の部位をタッチすることにより、電磁石９１，９２に通電させる信号やその通電を停止させる信号等を制御部に送信可能となるように構成されている。また、操作部を操作することにより、電磁石９１，９２が発生する磁力の大きさを変更できるように構成されている。
【００４０】
なお、図９の要部拡大断面図に示すように、永久磁石（磁性部材）９３，９４に対して対向配置される電磁石９１，９２は、永久磁石（磁性部材）９３，９４を案内可能に構成されるラッパ状に形成された受け部９５をその先端部に備えるように構成してもよい。このような構成により、ケーシング５内にカートリッジ２を挿入する際に生じ得るカートリッジ２の位置ズレを微調整し、カートリッジ２を正しいセット位置に導くことが容易となる。なお、電磁石９１，９２と磁性部材９３，９４との衝突の衝撃によって発生するおそれのある電磁石９１，９２や磁性部材９３，９４の損傷や、ケーシング５或いはカートリッジ２からの電磁石９１，９２や磁性部材９３，９４の脱落を回避するために、ケーシング５内にカートリッジ２をセットした状態において、電磁石９１，９２と磁性部材９３，９４との間に僅かな隙間が形成されるように、電磁石９１，９２や磁性部材９３，９４の位置や大きさを設定することが好ましい。
【００４１】
更に、本発明に係る第２の浄水器１ｂは、ケーシング５の閉塞壁５１とカートリッジ２の挿入方向端部２ａとの間に配置される衝撃吸収用の衝撃吸収部材９６を備えるように構成している。この衝撃吸収部材９６は、弾性部材により形成されることが好ましい。衝撃吸収部材９６は、ケーシング５の閉塞壁５１或いはカートリッジ２の挿入方向端部２ａのいずれか一方に、或いは両方に設置してもよい。
【００４２】
蓋部材８５は、ケーシング５の一方端に配設され当該ケーシング５の開口を閉塞する蓋体であり、ステンレス鋼やアルミニウム等の金属材料、合成樹脂素材（例えば、ＡＢＳ樹脂やＰＢＴ樹脂等）等の材料により形成されている。特に磁気に反応しない金属やＡＢＳ樹脂等により形成することが好ましい。この蓋部材８５は、ケーシング５内に挿入されるカートリッジ２の挿入方向端部２ａとは反対側の端部２ｂに設けられる把手２５に当接可能に構成されている。このような蓋部材８５としては、ケーシング５に対してボルト等により取り付け可能な蓋体であってもよく、或いは、ケーシング５の開口近傍に形成されるガイド溝にスライドさせて挿入しケーシング５開口を閉塞させるスライドプレートやスライドシャッターにより構成してもよい。図３や図４に示す浄水器１ｂにおいては、蓋部材８５をスライドプレートにより構成している。ここで、蓋部材８５をスライドプレートやスライドシャッターにより構成する場合、図１０の要部拡大断面図に示すように、スライドプレートやスライドシャッターの閉める方向側の端部８５ａの所定領域に磁石体８８を設置すると共に、スライドプレートやスライドシャッターを閉めた状態において磁石体８８に対向するケーシング５の開口の所定領域に、磁石体８８との間でくっつく力を及ぼす磁性部材８９を設置するようにしてもよい。このような構成により、スライドプレートやスライドシャッターにより構成される蓋部材８５をケーシング５の開口に固定させることができるため、ケーシング５の開口を確実に閉塞させることが可能となる。ここで、磁性部材８９とは、磁石にくっつく部材のことをいい、鉄やニッケル等の金属から形成される部材や、永久磁石や電磁石等の磁石体をも含む概念である。なお、このように蓋部材８５が磁石体８８と磁性部材８９とを備えるような構成を採用する場合、磁石体８８と磁性部材８９とのくっつく力の作用により蓋部材８５（スライドプレートやスライドシャッター）がケーシング５の開口部分に衝突し、磁石体８８や磁性部材８９、蓋部材８５或いはケーシング５の開口部分が損傷する恐れがある。このような事態が発生することを防止するために、蓋部材８５（スライドプレートやスライドシャッター）の閉める方向側の端部８５ａの所定領域や、蓋部材８５（スライドプレートやスライドシャッター）の閉める方向側の端部８５ａに対向するケーシング５の開口の所定領域に、衝撃吸収用の蓋用衝撃吸収部材（図示せず）を配置することが好ましい、
【００４３】
本発明に係る第２の浄水器１ｂは、上記の如く構成されているため、内部に濾過体２１を備えるカートリッジ２をケーシング５内に挿入して押し込むという動作のみで、カートリッジ２をケーシング５にセットすることが可能となり、また、ケーシング５にセットされているカートリッジ２を引き抜くという動作のみでケーシング５からカートリッジ２を容易に取り外すことが可能となる。つまり、カートリッジ２の脱着が極めて簡便となり、カートリッジ２の交換作業を容易に行うことが可能となる。
【００４４】
また、上記第２の浄水器１ｂにおいては、ケーシング５の供給配管接続部３及びカートリッジ２の導入部２２の嵌合状態、並びに、ケーシング５の排出配管接続部４及びカートリッジ２の導出部２３の嵌合状態を維持する保持手段９を備えるように構成している。この保持手段９は、ケーシング５の閉塞壁５１及びカートリッジ２の挿入方向端部２ａのいずれか一方に配置される電磁石９１，９２と、他方に配置され電磁石９１，９２との間でひっつく力を及ぼす磁性部材９３，９４を備えるように構成しているため、カートリッジ２をケーシング５内に挿入して、カートリッジ２の導入部２２及び導出部２３をそれぞれケーシング５の供給配管接続部３及び排出配管接続部４に押し込むという動作のみで、自動的に、ケーシング５の閉塞壁５１及びカートリッジ２の挿入方向端部２ａのいずれか一方に配置される電磁石９１，９２が、この電磁石９１，９２に対応して配置される磁性部材９３，９４を引き付けてケーシング５とカートリッジ２との一体性をより強固に確保することができる。この結果、簡便かつ確実に、カートリッジ２内に導かれる被処理流体の流体圧力（水圧等）の反動によるカートリッジ２の離脱（移動）に起因する被処理流体の液漏れを防止することが可能となる。
【００４５】
また、上記第２の浄水器１ｂにおいては、電磁石９１，９２は、発生する磁力の大きさが変更可能となるように構成される。このような構成によれば、カートリッジ２に対する供給配管接続部３や排出配管接続部４の保持力（ホールド力）を強めたり弱めたりすることが可能となる。例えば、ケーシング５からカートリッジ２を取り外す際には、電磁石９１，９２のコイルに流れる電流を遮断することにより磁力を消失させれば、簡便にケーシング５からカートリッジ２を取り外すことが可能となる。また、浄水器１ｂの使用時に、被処理流体の流体圧力（水圧等）の反動によるケーシング５からのカートリッジ２の離脱（移動）が生じてしまい被処理流体の液漏れが発生した場合であっても、電磁石９１，９２が発生する磁力を強めることにより、ケーシング５に対すカートリッジ２の保持力（ホールド力）より一層強化し、被処理流体の液漏れを防止することができる。
【００４６】
また、上記第２の浄水器１ｂにおいては、電磁石９１，９２は、発生する磁極を反転可能に構成されている。このような構成によれば、磁性部材９３，９４を磁石体により構成する場合に、電磁石９１，９２と磁石体９３，９４とが互いに引き合う、或いは、反発するように構成することが可能となる。この結果、ケーシング５内にカートリッジ２をセットする際及びセットしている状態の時には、電磁石９１，９２と磁石体９３，９４とが互いにくっつくように、或いは、ケーシング５からカートリッジ２を取り外す際に電磁石９１，９２と磁石体９３，９４とが互いに反発するように構成することができる。つまり、ケーシング５内にカートリッジ２をセットする際及びセットしている状態の時には、電磁石９１，９２と磁石体９３，９４とのくっつく力の作用によりカートリッジ２における導入部２２及び導出部２３と、閉塞壁５１における供給配管接続部３及び排出配管接続部４とが、それぞれ強固な連結状態を維持することができ、ケーシング５からカートリッジ２を取り外す時には、電磁石９１，９２と磁石体９３，９４との反発作用により、供給配管接続部３や排出配管接続部４に嵌合されるカートリッジ２の導入部２２や導出部２３を、供給配管接続部３や排出配管接続部４から容易に抜き出すことが容易となり、ケーシング５とカートリッジ２との脱着作業をより簡便に行うことが可能となる。
【００４７】
以上、本発明に係る第２の浄水器１ｂの実施形態について説明したが、第２の浄水器１ｂの具体的構成は、上記実施形態に限定されない。例えば、ケーシング５の側壁に、該側壁の内外を連通する連通部５５を形成するように構成してもよい。この連通部５５は、図１１やこの要部拡大図である図１２に示すように、閉塞壁５１の近傍位置に形成することが好ましい。側壁に形成される連通部５５の形状は、特に限定されず、円形、楕円形、三角形、四角形、五角形等の多角形等、種々の形状を採用することができる。また、形成される連通部５５の数も特に限定されず、側壁の全域に亘って複数の連通部５５が分散するように形成してもよく、或いは、一の側壁の中央部に比較的大きな連通部５５を形成してもよい。また、ケーシング５の側壁を網状体によって形成し、各網の目が連通部５５を構成するようにしてもよい。
【００４８】
このようにケーシング５の側壁に、ケーシング５内外を連通する連通部５５を形成するように構成することにより、カートリッジ２をケーシング５内に挿入する際において、カートリッジ２により押し出されるケーシング５内の空気が連通部５５を介してケーシング５外に導かれることになり、ケーシング５内にカートリッジ２をスムーズに挿入することが可能となる。また、当該連通部５５は、ケーシング５内にセットされたカートリッジ２を取り出す際には、ケーシング５外の空気をケーシング５内へと導く通り道（導入路）としての機能を発揮するため、カートリッジ２引き出し時に、ケーシング５内周面とカートリッジ２外周面との間が真空状態（低圧状態）となることを効果的に抑制することができ、ケーシング５からカートリッジ２をスムーズに取り出すことが可能となる。
【００４９】
特に、連通部５５を閉塞壁５１の近傍位置に形成することにより、カートリッジ２をケーシング５内に挿入し、カートリッジ２における導入部２２及び導出部２３が、閉塞壁５１に設けられる供給配管接続部３及び排出配管接続部４に嵌合する直前まで、ケーシング５内の空気を連通部５５を介して外部に導くことが可能となり、ケーシング５内にカートリッジ２をスムーズに挿入することがより一層可能となる。また、カートリッジ２をケーシング５から取り出す際においても、取り出し作業開始直後から連通部５５を介してケーシング５外の空気をケーシング５内へと導くことができるため、ケーシング５内周面とカートリッジ２外周面との間が真空状態（低圧状態）となることを最大限に抑制して、スムーズにケーシング５からカートリッジ２を取り出すことが可能となる。
【００５０】
また、ケーシング５に形成される連通部５５を、図１３（ａ）（ｂ）に示すように、ケーシング５の一方端側から他方端側に向けて延びるスリットとして構成してもよい。ここで、図１３（ｂ）は、図１３（ａ）における矢視Ｂ方向から見た平面図である。このような構成によれば、上述のように、カートリッジ２をケーシング５内に挿入する際には、カートリッジ２により押し出されるケーシング５内の空気をスリット状の連通部５５を介してケーシング５外に導き、また、ケーシング５内にセットされたカートリッジ２を取り出す際には、ケーシング５外の空気をケーシング５内へと導くという効果を発揮すると共に、次のような効果を発揮する。つまり、連通部５５をスリット状に構成することにより、ケーシング５の周壁が撓みやすくなる。これによって、ケーシング５の内周部の形状をカートリッジ２の外周部の形状と略同一の形状とし、カートリッジ２の外周面が、ケーシング５の内周面と摺接するように構成した場合であっても、ケーシング５の一方端における開口を拡径させてカートリッジ２を挿入することができ、ケーシング５へのカートリッジ２のセッティング作業を容易にすることができる。
【００５１】
また、上記第２の浄水器１ｂにおいて、カートリッジ２をケーシング５内にセットし、導入部２２及び供給配管接続部３、並びに、導出部２３及び排出配管接続部４がそれぞれ嵌合された状態において、ケーシング５に対するカートリッジ２の移動を規制するストッパー手段５６を備えるように構成してもよい。このストッパー手段５６は、図１４（ａ）（ｂ）に示すように、ケーシング５の側壁に形成される貫通部５６１と、貫通部５６１に対応してカートリッジ２の側壁側の所定位置に形成される凹部５６２と、移動規制部５６３とを備えている。移動規制部５６３は、貫通部５６１を介して凹部５６２に差し込まれた状態で、凹部５６２と貫通部５６１とにより形成される空間部内に少なくとも一部領域が介在するように構成されている。なお、図１４は、図３におけるＡ−Ａ断面に相当する一部断面図であり、また、図１４（ａ）は、貫通部５６１を介して凹部５６２に移動規制部５６３を差し込む前段階の状態を示しており、図１４（ｂ）は、貫通部５６１を介して凹部５６２に移動規制部５６３を差し込んだ状態を示している。図１４に示す構成においては、貫通部５６１は、ケーシング５に対するカートリッジ２の挿入方向に対して垂直な方向に延びるスリットにより構成されており、凹部５６２は、スリット状の貫通部５６１に対応した長さとなる溝状に形成されている。また、移動規制部５６３は、溝状の凹部５６２に差し込み可能なプレート体により構成されている。また、図１４に示す構成においては、移動規制部５６３の一端部（貫通部５６１を介して凹部５６２に差し込まれる側の端部とは反対側の端部）には、ケーシング５の側壁に当接可能な当接プレート５６４が配置されている。
【００５２】
このようなストッパー手段５６を備えることにより、ケーシング５内にセットされたカートリッジ２が、当該カートリッジ２内に導かれる被処理流体の流体圧力（水圧等）の反動によってケーシング５から離脱するような力を受けたとしても、移動規制部５６３が、ケーシング５に形成される貫通部５６１及びカートリッジ２の側壁側に形成される凹部５６２と係合して、ケーシング５に対するカートリッジ２の移動を規制することとなる。この結果、閉塞壁５１に設けられる供給配管接続部３とカートリッジ２の導入部２２との嵌合状態、及び、閉塞壁５１に設けられる排出配管接続部４とカートリッジ２の導出部２３との嵌合状態を維持することが可能となり、供給配管接続部３と導入部２２との連結個所や、排出配管接続部４と導出部２３との連結個所からの液漏れを効果的に抑制することが可能となる。また、移動規制部５６３の一端部に当接プレート５６４を備えるように構成することにより、当該カートリッジ２内に導かれる被処理流体の流体圧力（水圧等）の反動によって、カートリッジ２がケーシング５から離脱するような大きな力を受けたとしても、ケーシング５の側壁に当接する当接プレート５６４が、その力の一部を受けることになるため、より一層確実に、ケーシング５に対するカートリッジ２の移動を規制することが可能となる。
【００５３】
また、図１４に示すストッパー手段５６の構成において、当接プレート５６４におけるケーシング５側壁側の面、及び、当接プレート５６４に当接するケーシング５の当接面のいずれか一方に電磁石を設けると共に、他方に磁性部材を設けるように構成してもよい。このような構成によれば、電磁石と磁性部材とのひっつく力も加わって、移動規制部５６３がケーシング５から外れることを防止し、より一層確実にケーシング５に対するカートリッジ２の移動を規制することが可能となる。ここで、当接プレート５６４側或いはケーシング５側に設けられる電磁石としては、発生する磁極を反転可能に構成されることが好ましく、発生する磁力の大きさが変更可能となるように構成されることが好ましい。また、この電磁石に対応して配置される磁性部材としては、鉄やニッケル等の金属から形成される部材や、永久磁石や電磁石等の磁石体を採用することができる。
【００５４】
また、ストッパー手段５６の構成は、図１４に示すような構成に限定されず、例えば、図１５に示すような構造となるようにストッパー手段５６を構成してもよい。この図１５に示すストッパー手段５６は、当接プレート５６４の代わりに、移動規制部５６３に接続する第１接続端部５７１と前記ケーシング５に接続する第２接続端部５７２とを有する支持体５７を備えている。支持体５７は、板バネにより形成されており、第１接続端部５７１と第２接続端部５７２との間で図１５（ｂ）の矢印で示すように弾性変形可能に構成されている。つまり、第２接続端部５７２を支点として、支持体５７が撓んで第１接続端部５７１に接続する移動規制部５６３を回動できるように構成されている。ストッパー手段５６をこのように構成することにより、移動規制部５６３とケーシング５とを一体化することができる。更に、支持体５７が第１接続端部５７１と第２接続端部５７２との間で弾性変形可能に構成されているため、移動規制部５６３とケーシング５とを一体化した状態であっても、ケーシング５に形成される貫通部５６１を介して、カートリッジ２の側壁側に形成される凹部５６２に移動規制部５６３を簡単に挿入することが可能となる。
【００５５】
また、ストッパー手段５６は、次のように構成することもできる。このストッパー手段５６は、図１６（ａ）に示すように、貫通部５６１が、ケーシング５の互いに対向する側壁にそれぞれ形成されており、凹部５６２は、各貫通部５６１にそれぞれ対応するカートリッジ２の側壁側の所定位置にそれぞれ形成されている。これら各貫通部５６１及び各凹部５６２は、カートリッジ２の挿入方向に対して垂直な方向に延びるように形成されている。また、移動規制部５６３は、図１６（ｂ）に示すように、各貫通部５６１を介して各凹部５６２にそれぞれ差し込まれる一対の挿入片５６５を備えるように構成されている。各挿入片５６５は連結部材５６７の各端部に設置されている。この挿入片５６５は、ケーシング５の側方からスライドさせて各貫通部５６１及び各凹部５６２内に挿入される。挿入片５６５が設置された状態を図１７（ａ）及び（ｂ）に示す。図１７（ａ）は、挿入片５６５設置状態における浄水器１ｂの正面図であり、図１７（ｂ）は、図１７（ａ）のＣ−Ｃ断面を示す断面図である。ストッパー手段５６を図１６に示すような構造となるように構成しても、ケーシング５に対するカートリッジ２の移動を効果的に規制することができ、閉塞壁５１に設けられる供給配管接続部３とカートリッジ２の導入部２２との嵌合状態、及び、閉塞壁５１に設けられる排出配管接続部４とカートリッジ２の導出部２３との嵌合状態を維持し、供給配管接続部３と導入部２２との連結個所や、排出配管接続部４と導出部２３との連結個所からの液漏れを効果的に抑制することが可能となる。
【００５６】
また、上記第２の浄水器１ｂにおいては、カートリッジ２の挿入方向端部２ａに設けられる導入部２２や導出部２３を管状体として構成すると共に、供給配管接続部３や排出配管接続部４をケーシング５の閉塞壁５１に形成される貫通孔として構成し、導入部２２を供給配管接続部３の内部に挿入嵌合するように、導出部２３を排出配管接続部４の内部に挿入嵌合するように構成されているが、例えば、カートリッジ２の導入部２２を挿入方向端部２ａに形成される貫通孔として構成すると共に、供給配管接続部３をケーシング５の閉塞壁５１に設けられる管状体として構成し、供給配管接続部３を導入部２２の内部に挿入嵌合するように構成してもよい。また、カートリッジ２の導出部２３を挿入方向端部２ａに形成される貫通孔として構成すると共に、排出配管接続部４をケーシング５の閉塞壁５１に設けられる管状体として構成し、排出配管接続部４を導出部２３の内部に挿入嵌合するように構成してもよい。
【００５７】
次に、本発明に係る第３の浄水器１ｃについて、添付図面を参照して説明する。図１８は、第３の浄水器１ｃの概略構成断面図である。なお、構成の理解を容易にするため、実寸比ではなく部分的に拡大又は縮小されている。
【００５８】
第３の浄水器１ｃは、水道水等の被処理流体を浄化する装置であって、図１８に示すように、給排水ソケット６と、当該給排水ソケット６に接続されるカートリッジ２とを備えている。ここで、カートリッジ２の構成については、第２の浄水器１ｂにおけるカートリッジ２と同一の構成を有しているため、詳細な説明は省略する。
【００５９】
給排水ソケット６は、上述のようにカートリッジ２に接続する部材であり、図１８及び図１９に示すように、ソケット本体６１を備えている。ここで、図１９（ａ）は、給排水ソケット６の断面図であり、図１９（ｂ）は、給排水ソケット６の平面図である。ソケット本体６１には、供給配管接続部３及び排出配管接続部４が設けられている。供給配管接続部３は、外部から供給される被処理流体をカートリッジ２に導く機能を有しており、排出配管接続部４は、カートリッジ２によって処理された被処理流体を外部に導く機能を有している。これら供給配管接続部３及び排出配管接続部４は、ソケット本体６１にそれぞれ形成される貫通孔により構成されている。供給配管接続部３の一方の端部には、カートリッジ２の導入部２２が嵌合され、排出配管接続部４の一方の端部には、カートリッジ２の導出部２３が嵌合される。また、供給配管接続部３の他方の端部には、浄化処理されていない水道水等の被処理流体が導かれる給水配管Ｚ１が接続できるように構成されている。また、排出配管接続部４の他方の端部には、カートリッジ２によって有害物質等が除去された被処理流体が流通する排水配管Ｚ２が接続できるように構成されている。ここで、ソケット本体６１の外形形状は、円柱状や楕円柱状であってもよく、直方体状であってもよい。
【００６０】
また、本発明に係る第３の浄水器１ｃは、給排水ソケット６における供給配管接続部３及びカートリッジ２における導入部２２の嵌合状態、並びに、給排水ソケット６における排出配管接続部４及びカートリッジ２における導出部２３の嵌合状態を良好な状態に維持する保持手段９を更に備えている。この保持手段９は、供給配管接続部３側（排出配管接続部４側）及び導入部２２側（導出部２３側）のいずれか一方に配置される電磁石９１，９２と、他方に配置される磁性部材９３，９４とを備えている。具体的には、ソケット本体６１におけるカートリッジ２との対向面上に電磁石９１を配置し、この電磁石９１に対応する磁性部材９３をカートリッジ２におけるソケット本体６１との対向面上に配置している。なお、電磁石９１，９２と磁性部材９３，９４との組み合わせが２箇所となるように構成している。一方の電磁石９１と磁性部材９３との組み合わせに関しては、電磁石９１を供給配管接続部３近傍となるように、磁性部材９３を導入部２２近傍となるように配置している。また、他方の電磁石９２と磁性部材９４との組み合わせに関しては、電磁石９２を排出配管接続部４近傍となるように、磁性部材９４を導出部２３近傍となるように配置している。なお、電磁石と磁性部材との組み合わせが１箇所となるように構成してもよい。ここで、磁性部材９３，９４とは、磁石にくっつく部材のことをいい、鉄やニッケル等の金属から形成される部材や、永久磁石や電磁石等の磁石体をも含む概念である。本実施形態においては、磁性部材９３，９４として、永久磁石を採用している。なお、この永久磁石の代わりに別の電磁石や、鉄やニッケル等の金属材料から構成されるプレート部材を配置してもよい。また、本実施形態においては、電磁石９１，９２のＯＮ／ＯＦＦといった作動を制御する制御部（図示せず）や電磁石９１，９２を駆動させるための操作部（図示せず）を備えている。制御部は、電磁石９１，９２に通電することにより発生する磁極が、永久磁石９３，９４の磁極と反対（例えば、Ｎ極とＳ極、或いは、Ｓ極とＮ極）となるように、或いは、永久磁石９３，９４の磁極と同一（例えば、Ｎ極とＮ極、或いは、Ｓ極とＳ極）となるように構成されている。つまり、電磁石９１，９２は、発生する磁極を反転可能となるように構成される。また、制御部は、操作部から入力された信号に基づいて、例えば、電磁石９１，９２が発生する磁力の大きさを制御する機能を有している。また、操作部は、例えばタッチパネル式の入力装置により構成されており、所定の部位をタッチすることにより、電磁石９１，９２に通電させる信号やその通電を停止させる信号等を制御部に送信可能となるように構成されている。また、操作部を操作することにより、電磁石９１，９２が発生する磁力の大きさを変更できるように構成されている。
【００６１】
なお、上述した第２の浄水器１ｂと同様に、永久磁石（磁性部材）９３，９４に対して対向配置される電磁石９１，９２は、永久磁石（磁性部材）９３，９４を案内可能に構成されるラッパ状に形成された受け部９５をその先端部に備えるように構成してもよい。このような構成により、給排水ソケット６とカートリッジ２とを連結する際に生じ得るカートリッジ２の位置ズレを微調整し、カートリッジ２を正しいセット位置に導くことが容易となる。なお、電磁石９１，９２と磁性部材９３，９４との衝突の衝撃によって発生するおそれのある電磁石９１，９２や磁性部材９３，９４の損傷や、給排水ソケット６或いはカートリッジ２からの電磁石９１，９２や磁性部材９３，９４の脱落を回避するために、給排水ソケット６とカートリッジ２とを連結した状態において、電磁石９１，９２と磁性部材９３，９４との間に僅かな隙間が形成されるように、電磁石９１，９２や磁性部材９３，９４の位置や大きさを設定することが好ましい。
【００６２】
このような給排水ソケット６を備えることにより、供給配管接続部３及び排出配管接続部４を一体的に構成することができ、カートリッジ２における導入部２２及び導出部２３を簡便に供給配管接続部３及び排出配管接続部４に接続することが可能となる。
【００６３】
また、上記第３の浄水器１ｃにおいては、給排水ソケット６の供給配管接続部３及びカートリッジ２の導入部２２の嵌合状態、並びに、給排水ソケット６の排出配管接続部４及びカートリッジ２の導出部２３の嵌合状態を維持する保持手段９を備えるように構成している。この保持手段９は、供給配管接続部３側（排出配管接続部４側）及び導入部２２側（導出部２３側）のいずれか一方に配置される電磁石９１，９２と、他方に配置され電磁石９１，９２との間でひっつく力を及ぼす磁性部材９３，９４とを備えているため、カートリッジ２の導入部２２及び導出部２３をそれぞれ給排水ソケット６の供給配管接続部３及び排出配管接続部４に押し込むという動作のみで、自動的に、給排水ソケット６及びカートリッジ２のいずれか一方に配置される電磁石９１，９２が、この電磁石９１，９２に対応して配置される磁性部材９３，９４を引き付けて給排水ソケット６とカートリッジ２との一体性をより強固に確保することができる。これにより、簡便かつ確実に、カートリッジ２内に導かれる被処理流体の流体圧力（水圧等）の反動によるカートリッジ２の離脱（移動）に起因する被処理流体の液漏れを防止することが可能となる。
【００６４】
また、上記第３の浄水器１ｃにおいては、電磁石９１，９２は、発生する磁力の大きさが変更可能となるように構成される。このような構成によれば、カートリッジ２に対する供給配管接続部３や排出配管接続部４の保持力（ホールド力）を強めたり弱めたりすることが可能となる。例えば、カートリッジ２を給排水ソケット６から取り外す際には、電磁石９１，９２のコイルに流れる電流を遮断することにより磁力を消失させれば、簡便に給排水ソケット６からカートリッジ２を取り外すことが可能となる。また、浄水器１ｃの使用時に、被処理流体の流体圧力（水圧等）の反動による給排水ソケット６からのカートリッジ２の離脱（移動）が生じてしまい被処理流体の液漏れが発生した場合であっても、電磁石９１，９２が発生する磁力を強めることにより、給排水ソケット６に対するカートリッジ２の保持力（ホールド力）より一層強化し、被処理流体の液漏れを防止することができる。
【００６５】
また、上記第３の浄水器１ｃにおいては、電磁石９１，９２は、発生する磁極を反転可能に構成されている。このような構成によれば、磁性部材９３，９４を磁石体により構成する場合に、電磁石９１，９２と磁石体９３，９４とが互いに引き合う或いは反発するように構成することが可能となる。この結果、給排水ソケット６にカートリッジ２をセットする際及びセットしている状態の時には、電磁石９１，９２と磁石体９３，９４とが互いにくっつくように、或いは、給排水ソケット６からカートリッジ２を取り外す際に電磁石９１，９２と磁石体９３，９４とが互いに反発するように構成することができる。つまり、給排水ソケット６にカートリッジ２にセットする際及びセットしている状態の時には、電磁石９１，９２と磁石体９３，９４とのくっつく力の作用によりカートリッジ２における導入部２２及び導出部２３と、給排水ソケット６における供給配管接続部３及び排出配管接続部４とが、それぞれ強固な連結状態を維持することができ、給排水ソケット６からカートリッジ２を取り外す時には、電磁石９１，９２と磁石体９３，９４との反発作用により、供給配管接続部３や排出配管接続部４に嵌合されるカートリッジ２の導入部２２や導出部２３を、供給配管接続部３や排出配管接続部４から容易に抜き出すことが容易となり、給排水ソケット６とカートリッジ２との脱着作業をより簡便に行うことが可能となる。
【００６６】
ここで、給排水ソケット６は、図２０（ａ）（ｂ）に示すように、挿入ガイド６３を設けるように構成してもよい。この挿入ガイド６３は、供給配管接続部３及び排出配管接続部４の一方の端部を取り囲むようにしてソケット本体６１に立設される部材であり、図２０（ａ）に示す矢視Ｄ方向から見た平面図である図２０（ｂ）に示すように、例えば、挿入ガイド６３の内周部６３ａの形状が平面視において台形となるように構成されている。なお、給排水ソケット６が挿入ガイド６３を備えるように構成する場合、挿入ガイド６３の内周部６３ａの形状に対応した外形形状を有する係合部材２７をカートリッジ２が備えるように構成することが好ましい。この係合部材２７は、図２１（ａ）（ｂ）に示すように、カートリッジ２における導入部２２及び導出部２３を取り囲むようにして、挿入方向端部２ａに立設される部材であり、係合部材２７の外周部２７ａと、挿入ガイド６３の内周部６３ａとは互いに摺接するように構成することが好ましい。ここで、図２１（ａ）は、流体濾過体の概略構成断面図であり、図２１（ｂ）は、図２１（ａ）に示す矢視Ｅ方向から見た底面図である。また、挿入ガイド６３の内周部６３ａの形状は、１８０°回転させた場合に同一の形状とならない形状であればよく、台形の他に例えば三角形であってもよい。このような挿入ガイド６３及び係合部材２７を備える構成は、カートリッジ２を給排水ソケット６に誤って差し込んで挿入されることを効果的に防止することが可能となる。つまり、供給配管接続部３と導入部２２とが嵌合し、排出配管接続部４と導出部２３とが嵌合するような姿勢で、カートリッジ２を給排水ソケット６に挿入する際には、挿入ガイド６３と係合部材２７とが互いに干渉することなく、カートリッジ２を給排水ソケット６にセッティングすることが可能になる。一方、供給配管接続部３と導出部２３とが嵌合し、排出配管接続部４と導入部２２とが嵌合するような姿勢でカートリッジ２を給排水ソケット６に挿入する際には、挿入ガイド６３と係合部材２７とが互いに干渉し、カートリッジ２の給排水ソケット６への挿入を阻止することが可能となる。なお、図２０及び図２１の構成においては、挿入ガイド６３の内周部６３ａに係合部材２７の外周部２７ａが摺接するように、挿入ガイド６３及び係合部材２７を構成しているが、例えば、係合部材２７の内周部２７ｂが挿入ガイド６３の外周部６３ｂに摺接するように、挿入ガイド６３及び係合部材２７を構成してもよい。
【００６７】
また、上記挿入ガイド６３及び係合部材２７を図２２（ａ）のように構成してもよい。この図２２に示す構成は、挿入ガイド６３をソケット本体６１の上面における外周縁上に形成すると共に、係合部材２７を肉厚部として形成している。挿入ガイド６３の内周部６３ａの形状は、図２０（ｂ）に示すのと同様に平面視において台形となるように構成されており、係合部材２７の外形形状は、挿入ガイド６３の内周部６３ａの形状に対応するように構成されている。また、挿入ガイド６３の上端部は、ラッパ状となるように形成されている。このようにラッパ状とすることにより、係合部材２７を挿入ガイド６３にスムーズに挿入することが可能となる。また、電磁石９１，９２は、ソケット本体６１に埋設されており、磁性部材９３，９４は、肉厚部として構成される係合部材２７に埋設されている。なお、電磁石９１，９２の一部が、ソケット本体６１の上端面から露出するように構成してもよく、或いは完全にソケット本体中に埋め込まれてもよい。同様に、磁性部材９３，９４の一部が、係合部材２７の下端面から露出するように構成してもよく、或いは完全に係合部材２７中に埋め込まれてもよい。また、係合部材２７の下端面には、突起６６が設けられている。この突起６６は、カートリッジ５を給排水ソケット６にセットした状態（図２２（ｂ）の状態）において、ソケット本体の上端面に当接し、電磁石９１，９２と磁性部材９３，９４との間に僅かな隙間を形成することを可能とする。これにより、電磁石９１，９２と磁性部材９３，９４との衝突の衝撃によって発生するおそれのある電磁石９１，９２や磁性部材９３，９４の損傷を回避することが可能となる。
【００６８】
また、上記第３の浄水器１ｃにおいては、カートリッジ２の挿入方向端部２ａに設けられる導入部２２や導出部２３を管状体として構成すると共に、供給配管接続部３や排出配管接続部４をソケット本体６１に形成される貫通孔として構成し、導入部２２を供給配管接続部３の内部に挿入嵌合するように、導出部２３を排出配管接続部４の内部に挿入嵌合するように構成されているが、例えば、カートリッジ２の導入部２２を挿入方向端部２ａに形成される貫通孔として構成すると共に、供給配管接続部３をソケット本体６１に設けられる管状体として構成し、供給配管接続部３を導入部２２の内部に挿入嵌合するように構成してもよい。また、カートリッジ２の導出部２３を挿入方向端部２ａに形成される貫通孔として構成すると共に、排出配管接続部４をソケット本体６１に設けられる管状体として構成し、排出配管接続部４を導出部２３の内部に挿入嵌合するように構成してもよい。
【符号の説明】
【００６９】
１ａ、１ｂ、１ｃ  浄水器
２  カートリッジ
２２  導入部
２３  導出部
２７  係合部材
３  供給配管接続部
４  排出配管接続部
５  ケーシング
５１  閉塞壁
５５  連通部
６  給排水ソケット
６１  ソケット本体
６３  挿入ガイド
７  第１保持手段
７１  電磁石
７２  磁性部材
８  第２保持手段
８１  電磁石
８２  磁性部材
９  保持手段
９１，９２  電磁石
９３，９４  磁性部材
【図１】
0005909780.tif 000002
【図２】
0005909780.tif 000003
【図３】
0005909780.tif 000004
【図４】
0005909780.tif 000005
【図５】
0005909780.tif 000006
【図６】
0005909780.tif 000007
【図７】
0005909780.tif 000008
【図８】
0005909780.tif 000009
【図９】
0005909780.tif 000010
【図１０】
0005909780.tif 000011
【図１１】
0005909780.tif 000012
【図１２】
0005909780.tif 000013
【図１３】
0005909780.tif 000014
【図１４】
0005909780.tif 000015
【図１５】
0005909780.tif 000016
【図１６】
0005909780.tif 000017
【図１７】
0005909780.tif 000018
【図１８】
0005909780.tif 000019
【図１９】
0005909780.tif 000020
【図２０】
0005909780.tif 000021
【図２１】
0005909780.tif 000022
【図２２】
0005909780.tif 000023